(57)【要約】      （修正有）【課題】ポップアップしたキャラクターから声が出ているように見えるメッセージカードを提供する。【解決手段】メッセージカード１は、所定の折り目で折り畳み可能に構成されたカード本体１０と、折り目の近傍に設けられていて、カード本体１０を開いたときに立体的に出現するように構成された図柄部材２０と、カード本体１０の内部に設けられたスピーカ、所定のメッセージをキャラクターの音声で記憶するとともにスピーカに再生させるように構成された回路基板、及び再生を開始するためのスイッチ４３を有する音声モジュール４０と、を備え、スイッチ４３が、折り目にわたって設けられたスライドスイッチである。【選択図】図３
0003205843.tif 000002
【実用新案登録請求の範囲】
【請求項１】
所定のメッセージを音声で伝えるメッセージカードであって、
所定の折り目で折り畳み可能に構成されたカード本体と、
前記折り目の近傍に設けられていて、前記カード本体を開いたときに立体的に出現するように構成された図柄部材と、
前記カード本体の内部に設けられたスピーカ、前記所定のメッセージをキャラクターの音声で記憶するとともに前記スピーカに再生させるように構成された回路基板、及び前記再生を開始するためのスイッチを有する音声モジュールと、
を備え、
前記スイッチが、折り目にわたって設けられたスライドスイッチであることを特徴とするメッセージカード。
【請求項２】
前記所定のメッセージが、バースデーメッセージ、暑中見舞いメッセージ、又はクリスマスメッセージである、請求項１に記載のメッセージカード。
【請求項３】
前記回路基板が音楽又は歌付き音楽を更に記憶する、請求項１に記載のメッセージカード。
【請求項４】
前記図柄部材に前記キャラクターが描かれており、前記スピーカが前記図柄部材の背部に位置する、請求項１に記載のメッセージカード。
【考案の詳細な説明】
【技術分野】
【０００１】
本考案は、所定のメッセージを音声で伝えるメッセージカードに関する。
【背景技術】
【０００２】
従来、カードを開いた際に立体物が現れるバースデーカードやクリスマスカードにおいて、カードの趣旨に適した音楽を鳴奏し、あたかもケーキの蝋燭等を吹き消すようにした観を呈するメッセージカードが、例えば特許文献１に開示されている。
【先行技術文献】
【特許文献】
【０００３】
【特許文献１】実用新案登録第３１２８６３２号公報
【考案の概要】
【考案が解決しようとする課題】
【０００４】
しかしながら、立体物が現れるメッセージカードにおいて、暑中見舞いメッセージを音声で伝えるものや、あたかもキャラクターがメッセージを届けているように見えるものは見当たらなかった。また、スライドスイッチを有するメッセージカードにおいて、１つのカードで音楽又は歌付き音楽とキャラクターの音声が流れるものも見当たらなかった。
【課題を解決するための手段】
【０００５】
本考案の第１の態様は、所定のメッセージを音声で伝えるメッセージカードであって、所定の折り目で折り畳み可能に構成されたカード本体と、前記折り目の近傍に設けられていて、前記カード本体を開いたときに立体的に出現するように構成された図柄部材と、前記カード本体の内部に設けられたスピーカ、前記所定のメッセージをキャラクターの音声で記憶するとともに前記スピーカに再生させるように構成された回路基板、及び前記再生を開始するためのスイッチを有する音声モジュールと、を備え、スイッチが、折り目にわたって設けられたスライドスイッチである、メッセージカードを提供する。
本考案の第２の態様は、第１の態様において、前記所定のメッセージが、バースデーメッセージ、暑中見舞いメッセージ、又はクリスマスメッセージである、メッセージカードを提供する。
本考案の第３の態様は、第１の態様において、前記回路基板が音楽又は歌付き音楽を更に記憶する、メッセージカードを提供する。
本考案の第４の態様は、第１の態様において、図柄部材にキャラクターが描かれており、スピーカが図柄部材の背部に位置する、メッセージカードを提供する。
【考案の効果】
【０００６】
本考案に係るメッセージカードによれば、立体物が現れるとともにスライドスイッチを有するメッセージカードにおいて、キャラクターの音声が流れるメッセージカードを提供できる。
【図面の簡単な説明】
【０００７】
【図１】本考案の一実施形態における分解したメッセージカードの平面図である。
【図２】本考案の一実施形態における分解したメッセージカードの背面図である。
【図３】本考案の一実施形態における組立てたメッセージカードの斜視図である。
【考案を実施するための形態】
【０００８】
以下、添付図面を参照して、本考案の実施形態を詳細に説明する。各図面において、同様の構成要素には同様の符号が付与されている。なお、以下に記載される内容は、実用新案登録請求の範囲に記載される考案の技術的範囲及び用語の意義を限定するものではない。
【０００９】
図１は、本考案の一実施形態における分解したメッセージカードの平面図であり、図２は、本考案の一実施形態における分解したメッセージカードの背面図である。メッセージカード１は、カード本体１０と、図柄部材２０と、支持部材３０と、音声モジュール４０と、を有するバースデーカードとして構成されている。
【００１０】
カード本体１０は、紙及びプラスチック等から構成されていて、表面１１及び裏面１２を有する。図１に示すように、表面１１は、所定のキャラクター１３が印刷された第１表面１１ａと、第１表面１１ａに折り目１４を介して接続する第２表面１１ｂと、第１表面１１ａに折り目１５を介して接続する第３表面１１ｃと、を有する。第３表面１１ｃは、３つののりしろ１６ａ〜１６ｃを有していて、折り目１５で折り畳まれて第１表面１１ａの裏面にのり等の接着剤で接着される。
【００１１】
図２に示すように、裏面１２は、音声モジュール４０を有する第１裏面１２ａと、第１裏面１２ａに折り目１４を介して接続する第２裏面１２ｂと、第１裏面１２ａに折り目１５を介して接続する第３裏面１２ｃと、を有する。第２裏面１２ｂは、手書き等のメッセージを記入可能な記入欄１７を有する。第３裏面１２ｃを折り目１５で折り畳んで第１裏面１２ａに接着することにより、音声モジュール４０がカード本体１０の内部に隠される。
【００１２】
図１及び図２に示すように、図柄部材２０は、紙及びプラスチック等から構成されていて、その表面にキャラクター２１が印刷されるとともに、その裏面に支持部材３０を接着する接着マーク２２が印刷される。支持部材３０は、図柄部材２０に接着する接着面３１と、図柄部材２０を支持する支持面３２と、を有していて、折り目３３で折り畳み可能に構成される。支持部材３０の接着面３１は、のり等の接着剤で図柄部材２０の接着マーク２２に接着される。支持部材３０は、３つののりしろ３４ａ、３４ｂ及び３４ｃを更に有していて、のりしろ３４ａがのり等の接着剤でカード本体１０の接着マーク１８ａに接着され、のりしろ３４ｂ及び３４ｃがのり等の接着剤でカード本体１０の接着マーク１８ｂ及び１８ｃにそれぞれ接着される。これにより、カード本体１０が開かれたときに図柄部材２０が立体的に出現するようになる。
【００１３】
音声モジュール４０は、スピーカ４１と、回路基板４２と、スイッチ４３と、を有していて、カード本体１０の内部に設けられる。スピーカ４１は、キャラクター２１が描かれた図柄部材２０の背部に位置するように設けられる。回路基板４２は、図示しないものの、マイクロコンピュータを有していて、マイクロコンピュータは、キャラクターの音声で録音されたバースデーメッセージ及びバースデー用の音楽又は歌付き音楽を記憶する記憶部と、バースデーメッセージ及びバースデー用の音楽又は歌付き音楽をスピーカ４１に再生させるように構成された制御部と、を有する。スイッチ４３は、折り目１４にわたって設けられていて、カード本体１０を開いたときにスライドして再生を開始するように構成されたスライドスイッチである。他の実施形態では、スイッチ４３が押しボタンであってもよい。
【００１４】
図３は、本考案の一実施形態における組立てたメッセージカードの斜視図である。図３に示すように、組立てたメッセージカード１を開くと、図柄部材２０が立体的に出現するとともに、音声モジュール４０のスイッチ４３がスライドして回路基板４２の電源をオンにする。電源を投入された回路基板４２は、スピーカ４１にバースデー用の音楽又は歌付き音楽を再生させ、最後にキャラクターの音声で録音されたバースデーメッセージを再生させる。メッセージカード１を閉じると、音声モジュール４０のスイッチ４３が電源をオフにし、バースデーメッセージ又は音楽が停止する。
【００１５】
ここで本考案の作用効果について説明する。本考案に係るメッセージカードによれば、立体的に出現するように構成された図柄部材２０と、スライドスイッチ４３と、を有するメッセージカードにおいて、音声モジュール４０がキャラクター２１を印刷した図柄部材２０の近傍、すなわち図柄部材２０の背部に設けられているため、あたかもキャラクターがバースデーメッセージを届けているかのように見せることができる。また、本考案に係るメッセージカード１を開くと、キャラクター２１の音声だけでなく、音楽又は歌付き音楽が流れるため、音楽又は歌付き音楽のないメッセージカードと比べてより温か味を感じさせることができる。さらに、キャラクター２１の音声でバースデーメッセージを伝えることにより、愛着や興趣を引き起こすことができる。
【００１６】
本明細書において種々の実施形態について説明したが、本考案は、前述した種々の実施形態に限定されるものではなく、以下の実用新案登録請求の範囲に記載された範囲内において種々の変更を行えることを認識されたい。例えば、本考案に係るメッセージカードは、暑中見舞いカード又はクリスマスカード等として構成することができ、この場合には回路基板４２が暑中見舞いメッセージ又はクリスマスメッセージ等を記憶する。
【符号の説明】
【００１７】
１    メッセージカード
１０    カード本体
２０    図柄部材
３０    支持部材
４０    音声モジュール
４１    スピーカ
４２    回路基板
４３    スイッチ
【図１】
0003205843.tif 000003
【図２】
0003205843.tif 000004
【図３】
0003205843.tif 000005